(57)【要約】  【課題】  浴槽排水のように一時に大量の排水が発生しても、汚泥が後段の処理槽に流出することがなく、各処理槽での滞留時間が短縮されて処理性能が悪化することなく、維持管理費の増大を招かず、専用の槽・定量ポンプを必要としない汚水浄化槽を提供することを目的とする。  【解決手段】  本発明は、嫌気処理槽と、この嫌気処理槽の下流に設置される好気処理槽とを備えた汚水浄化槽であって、上記嫌気処理槽に屎尿を流入させる第１の流入口を設け、上記好気処理槽に浴槽排水を流入させる第２の流入口を設けた汚水浄化槽である。  【選択図】  図１
2005305295.tif 000002
【特許請求の範囲】
【請求項１】
嫌気処理槽と、この嫌気処理槽の下流に設置される好気処理槽とを備えた汚水浄化槽であって、上記嫌気処理槽に屎尿を流入させる第１の流入口を設け、上記好気処理槽に浴槽排水を流入させる第２の流入口を設けた汚水浄化槽。
【請求項２】
請求項１において、第２の流入口が、浴槽排水以外に洗面、洗濯、又は、浴室排水を流入させる汚水浄化槽。
【請求項３】
請求項１又は２において、第２の流入口が、第１の流入口とは直交する方向に設けられた汚水浄化槽。
【請求項４】
請求項１乃至３のいずれかにおいて、嫌気処理槽及び／又は好気処理槽が、濾材を備えた汚水浄化槽。
【発明の詳細な説明】
【技術分野】
【０００１】
本発明は、汚水浄化槽であって、特に屎尿と生活雑排水とを個別の流入口より流入させる汚水浄化槽に関する。
【背景技術】
【０００２】
汚水浄化槽は、下水道設備が整っていない地域にて用いられ、家庭等にて発生した汚水を浄化し放流させるものであり、広く用いられている。家庭にて発生する汚水としては、屎尿及び生活雑排水があり、生活雑排水としては、台所排水、洗面排水、洗濯排水、浴槽・浴室排水等がある。
【０００３】
家庭から排出される屎尿及び生活雑排水のうち、浴槽から排出される汚水は、数分間で２００〜３００Ｌ程度の水量が一度に排出されるため、汚水浄化槽に一気に流入する。一方、１人が排出する１日当たりの屎尿及び生活雑排水の水量は、２００Ｌと言われており、５人家族の家庭では、１日に１，０００Ｌの排水が汚水浄化槽に流入することになる。
【０００４】
ここで、２５０Ｌの浴槽排水が最少人槽の５人槽に流入した場合で考えると、１時間当たりの平均流入水量に対する浴槽排水量の比率（流入ピーク比）は６倍もあることが分かる。このようなピークを持つ排水が汚水浄化槽に流入すると、汚泥の貯留機能を持つ嫌気濾床槽（あるいは沈殿分離槽や固形物除去槽等）で貯留されている汚泥が後段の処理槽（室）に流出すること、各処理槽（室）での滞留時間が短縮され処理性能が悪化すること等が問題となっていた。
【０００５】
この問題の解決する手段としては、汚水浄化槽に流量調整機能を設ける方法が提案されており、一度に流入してくる排水を一旦受けるための槽（この部位を流量調整部と言われる）を新たに設けることで解決を図るようにしている。
【０００６】
また、汚水浄化槽に流入する汚水を、台所排水・トイレ排水と、浴室・洗面所排水とに分け、各々別々の嫌気室（第１の嫌気室・第２の嫌気室）に流入させ、その後各々の嫌気室から同一の嫌気室（二次嫌気室）に流入させる方法も提案されている（特許文献１参照）。
【特許文献１】特開平０５−２９３４８４号公報
【発明の開示】
【発明が解決しようとする課題】
【０００７】
しかしながら、浄化槽に流量調整機能を持たせる方法は、一度に流入してくる排水を一旦受けるための槽と、一旦受けた排水を定量的に排出させるための移送ポンプが必要となるため、汚水浄化槽の容量が大きくなり、イニシャルおよびランニングの費用も大きく、維持管理に掛かる負担が増大してしまう。
【０００８】
また、特許文献１に記載される提案は、維持管理費の負担が小さいものの、一時に大量に排水される浴室排水を蓄える第２嫌気室を設ける必要があり、第２嫌気室から二次嫌気室へと移流させるのに定量ポンプを必要とする。
【０００９】
本発明は、浴槽排水のように一時に大量の排水が発生しても、汚泥が後段の処理槽に流出することがなく、各処理槽での滞留時間が短縮されて処理性能が悪化することなく、維持管理費の増大を招かず、専用の槽・定量ポンプを必要としない汚水浄化槽を提供することを目的とする。
【課題を解決するための手段】
【００１０】
（１）本発明は、嫌気処理槽と、この嫌気処理槽の下流に設置される好気処理槽とを備えた汚水浄化槽であって、上記嫌気処理槽に屎尿を流入させる第１の流入口を設け、上記好気処理槽に浴槽排水を流入させる第２の流入口を設けた汚水浄化槽である。
（２）項（１）において、第２の流入口が、浴槽排水以外に洗面、洗濯、又は、浴室排水を流入させる汚水浄化槽である。
（３）項（１）又は（２）において、第２の流入口が、第１の流入口とは直交する方向に設けられた汚水浄化槽である。
（４）項（１）乃至（３）のいずれかにおいて、嫌気処理槽及び／又は好気処理槽が、濾材を備えた汚水浄化槽である。
【発明の効果】
【００１１】
本発明によれば、流入ピーク比の大きい家庭排水であっても、安定した廃水処理を行うことができ、専用の槽・定量ポンプを必要とせず、維持管理費も増大しない。
【発明を実施するための最良の形態】
【００１２】
以下、図面を参照して、本発明の実施例を具体的に説明する。
図１は本発明の１実施例である汚水浄化槽の横断面図及び縦断面図であり、図２は図１に示す汚水浄化槽の配管例を示す平面図である。
汚水浄化槽１は、複数の仕切壁で仕切られ、上流側から嫌気濾床槽第１室２、嫌気濾床槽第２室３、好気処理槽４、沈殿槽５、消毒槽６の順で配列されている。嫌気濾床槽第１室２には、第１流入口７を設けてあり、この第１流入口７より、戸建住宅から排出される排水の中でも流入負荷の高い屎尿及び台所排水を流入させるように、排水管８、９を第１流入口７に接続された第１敷地内排水管１０に接続する。
【００１３】
また、嫌気濾床槽第１室３は、濾材が充填してあり、この濾材により屎尿や台所排水に含まれる固形物及び夾雑物が捕捉・除去され、嫌気的消化作用により減量化しながら、槽内に貯留される。更に、濾材に付着した嫌気性微生物による生物処理、即ち、有機物の分解、亜硝酸性窒素及び硝酸性窒素の脱窒が行われる。
【００１４】
嫌気濾床槽第１室２で処理された被処理水は、嫌気濾床槽第２室３に移送される。嫌気濾床槽第２室３では、嫌気濾床槽第１室２と同様に濾材が充填してあり、嫌気濾床槽第１室２から移流した固形物の除去や嫌気性の生物処理が行われる。嫌気濾床槽第２室３で処理された被処理水は、好気処理槽４に移送される。
【００１５】
好気処理槽４には、第２流入口１１があり、この第２流入口１１より、戸建住宅から排出される排水の中でも流入負荷が低く、水量の多い浴槽排水を流入させるように、排水管１２を第２流入口１１に接続された第２敷地内排水管１３に接続する。
【００１６】
即ち、好気処理槽４では、屎尿及び台所排水由来の被処理水とは別に、浴槽排水が流入される。好気処理槽４では、接触材が充填してあり、散気管１４より空気が挿入されることにより、溶存酸素を含んだ槽内水が接触材の間に行き渡るようになり、接触材に付着した好気性微生物の働きによって槽内水中の有機物の酸化分解やアンモニア性窒素の硝化が進行する。
【００１７】
通常汚水浄化槽内は、流入ピーク比の高い浴槽排水が流入することで、槽内の移流速度が高まるが、本発明においては、本実施例に示す通り、一時に大量の排水が発生する浴槽排水を好気処理槽４から流入させることにより、汚泥の貯留を目的とする嫌気濾床槽第１室２及び嫌気濾床槽第２室３に、この流速が掛からないため、処理性能が不安定になる原因として課題となっている嫌気濾床槽第１室２及び嫌気濾床槽第２室３からの汚泥流出を防止する効果がある。但し、浴槽排水の流速は、好気処理槽４に掛かるが、浴槽排水は濁負荷量が少なく、好気処理槽４からの流入でも十分に処理することが可能であるので、処理水の水質が悪化することはない。
【００１８】
好気処理槽４で処理された被処理水は、沈殿槽５に移送される。沈殿槽５では、重力沈降により固形分を分離し、上澄み液を処理水として消毒槽６へ移送させる。沈降した固形分は、汚泥移送装置１５により嫌気濾床槽第１室２に移送され、嫌気濾床槽第１室２で除去された固形物および夾雑物と共に、消化による減量化を受けつつ貯留される。消毒槽６では、処理水を消毒・滅菌して放流口１６から放流される。
【００１９】
図１及び図２に示す汚水浄化槽は、嫌気濾床槽第１室２、嫌気濾床槽第２室３、好気処理槽４、沈殿槽５、消毒槽６といった単位装置から構成されているが、嫌気処理槽としては、このような嫌気濾床槽第１室２及び嫌気濾床槽第２室３以外に、汚泥の貯留を目的とした単位装置であれば、濾材が充填されていない沈殿分離槽（固形物除去槽、固液分離槽等）を使用しても良く、更に、沈殿分離槽と嫌気濾床槽を組み合わせたものでも良い。
【００２０】
好気処理槽４は、接触ばっ気槽だけでなく、微生物を付着できる濾材（担体）を充填して好気的な生物処理を行わせる単位装置を使用しても良く、担体流動槽や、さらに濾過作用を兼ねた生物（膜）濾過槽を使用しても良い。沈殿槽５は、処理水を貯留するための処理水槽に置き換えても良く、前段の単位装置が濾過作用を有していれば、省略することも可能である。
【００２１】
尚、図２では、生活排水のうち、浴槽排水以外（し尿、台所排水、浴室排水、洗面排水、洗濯排水等）を第１流入口７から、浴槽排水を第２流入口１１から流入させているが、し尿・台所排水・浴槽排水以外（洗濯排水、洗面排水、浴室排水等）については、流入排水の汚濁負荷を考慮し、流入させる流入口を選択することができ、図３及び図４に示す通り、嫌気濾床槽第２室３に新たに第３流入口１７を設けて、し尿・台所排水・浴槽排水以外（洗濯排水、洗面排水、浴室排水等）の排水を第３敷地内排水管１８を介して流入させることも可能である。
【００２２】
次に、本発明の他の実施例について図５及び図６を用いて説明する。図５は汚水浄化槽の実施例を示す横断面図及び縦断面図であり、図６は図５に示す汚水浄化槽の配管例を示す平面図である。
【００２３】
汚水浄化槽５１は、図１に示した汚水浄化槽１と同様に、仕切壁で各処理室（槽）が仕切られ、上流側から、嫌気濾床槽第１室５２、嫌気濾床槽第２室５３、接触ばっ気槽５４、沈殿槽５５、消毒槽５６の順番で配列され、生活雑排水のうち、浴槽排水以外の排水（し尿、台所排水、洗濯排水、洗面排水、浴室排水等）は第１流入口５７より、最も上流となる嫌気濾床槽第１室５２に流入し、浴槽排水は第２流入口５８より、接触ばっ気槽５４に流入されて排水処理される。
【００２４】
第２流入口５８は、図５に示す通り、汚水浄化槽５１の外壁側面に対向するように２箇所用意されており、汚水浄化槽５１の設置状況により、第２敷地内排水管５９を配する距離が短くなる側の第２流入口５８を用いることができる。例えば、汚水浄化槽５１を上流側に見て右手側に家屋がある場合には、図６（ａ）に示すように、逆に左手側に家屋がある場合には、図６（ｂ）に示すように汚水浄化槽５１の向きを変えることで、第２敷地内排水管５９を設置することができる。尚、使用しない方の第２流入口５８に関しては、キャップ、蓋等を用いて閉塞しておく。
【図面の簡単な説明】
【００２５】
【図１】本発明の実施例を示す汚水浄化槽の横断面図及び縦断面図である。
【図２】図１に示す汚水浄化槽の配管例を示す平面図である。
【図３】本発明の他の実施例を示す汚水浄化槽の横断面図及び平断面図である。
【図４】図３に示す汚水浄化槽の配管例を示す平面図である。
【図５】本発明の更に他の実施例を示す汚水浄化槽の横断面図及び縦断面図である。
【図６】図５に示す汚水浄化槽の配管例を示す平面図である。
【符号の説明】
【００２６】
１…汚水浄化槽、２…嫌気濾床槽第１室、３…嫌気濾床槽第２室、４…好気処理槽、５…沈殿槽、６…消毒槽、７…第１流入口、８…排水管、９…排水管、１０…第１敷地内排水管、１１…第２流入口、１２…排水管、１３…第２敷地内排水管、１４…散気管、１５…汚泥移送装置、１６…放流口、１７…第３流入口、１８…第３敷地内排水管、５１…汚水浄化槽、５２…嫌気濾床槽第１室、５３…嫌気濾床槽第２室、５４…接触ばっ気槽、５５…沈殿槽、５６…消毒槽、５７…第１流入口、５８…第２流入口、５９…第２敷地内排水管
【図１】
2005305295.tif 000003
【図２】
2005305295.tif 000004
【図３】
2005305295.tif 000005
【図４】
2005305295.tif 000006
【図５】
2005305295.tif 000007
【図６】
2005305295.tif 000008